(57)【要約】【課題】腸内への挿入、便の切断および取り出しを、簡単かつ安価な構成で衛生的に実施できるとともに、排便介護の作業能率を改善可能な排便装置を提供する。【解決手段】二重壁で構成されるバッグ１を折り畳んだ状態で支持部材２に支持させ腸内に挿入し、バッグの二重壁の一部により形成される加圧開口部１０、加圧展開部１１に流体圧を作用させてバッグを展開するとともに開口部を開口する。開口部より便をバッグ内に取り込んだ後、緊縮部材３により開口部を緊縮し体外に取り出す。【選択図】図１
2009247877.tif 000002
【特許請求の範囲】
【請求項１】
折り畳みと展開が可能なバッグ（１）よりなる排便装置で、バッグは一つの開口部（９）を有し、開口部には、開口部を閉じることが可能な緊縮部材（３）と、流体圧力を加えることによりバッグを展開しかつ開口部を開口可能な加圧開口部（１０）を有し、開口部と略垂直な方向には、流体圧力を加えることによりバッグを展開可能な加圧展開部（１１）と、部材の剛性によりバッグを支持可能な支持部材（２）を有する排便装置。
【請求項２】
折り畳みと展開が可能なバッグを、折り畳んだ状態で、部材の剛性によりバッグを支持可能な支持部材により支持して支持部材とともに肛門より腸内に挿入し、
流体圧力を加えることによりバッグを展開しかつ開口部を開口可能な加圧開口部、および流体圧力を加えることによりバッグを展開可能な加圧展開部に流体圧力を加えて、バッグを腸内で展開するとともに開口部を開き、
開口部よりバッグに便が流入後に、緊縮部材（３）により開口部を緊縮してバッグ内に便を保持し、
バッグと支持部材を、ともに体外に取り出す排便の補助方法。
【請求項３】
加圧開口部と加圧支持部には接続する管（４）があり、その管が体外まで導出されており、管を通して二重壁間に流体を送出することでバッグを展開する請求項１〜２記載の排便装置。
【請求項４】
バッグには、潤滑剤を送出する管（２）が付設されており、バッグを展開後に、前期管よりバッグと腸壁との間に体外より潤滑剤を送出する請求項１〜３記載の排便装置。
【発明の詳細な説明】
【技術分野】
【０００１】本発明は、福祉医療や家庭介護医療において、寝たきりの老人や、便所で座位が取れない障害者、便をおむつで処理する被介護者等の排便を助けるのに使用する排便装置に関する。
【背景技術】
【０００２】従来、寝たきり老人など、被介護者の便を処理するのにおむつが広く利用されている。しかし、このおむつを利用する方法では、肛門（会陰部）が汚染するため、この肛門付近の肌がかぶれたり、爛れたりする場合がある。赤ちゃんの場合には、おむつを使って汚れても、簡単に清拭することができるが、成人の場合には、介護者にとって大仕事になる。【０００３】一方、被介護者が自力で排便をすることができない場合があり、この場合には、介護者が非介護者の肛門から指を入れて、腸内に詰まった便を掻き出している。このとき手には汚染防止用の手袋をはめて行うが、使用中に手袋が破れて、手が汚染することがある。また、排便の介護は、介護の仕事の中でも最も嫌われる仕事の一つである。【０００４】これに対して、出願人は軸部材とともにバックを腸内に挿入し、バックの開口部を開口せしめバック内に便を取りこんだ後に、バックの開口部を閉じ、この状態でバッグに取り込んだ便を軸部材とともに肛門の外に引き出し、再びバッグの開口部を開いて内部の便を便器等へ廃棄する排便装置を考案した。（特許文献１参照）。
【特許文献１】特開２００７−２６０３１９号公報
【発明の開示】
【発明が解決しようとする課題】
【０００５】しかしながら、この排便装置にあっては、バック開口部の開口および緊縮は、開口部に設けられ、外部まで引き出されている弾性線条を、外部から引き操作また押し操作することにより行われていた。そのためバックが展開するのは開口部近傍にとどまり、便の取り込みのために望ましいバック全体が展開することは難しかった。また、線条の操作による開口部の開口の度合いの調節も容易ではなかった。【０００６】本発明は、前記のような従来の問題を解決するものであり、腸内への挿入、バックの展開、便の切断および取り取り出しを、簡単かつ安価な構成で衛生的に実施できるとともに、排便介護の作業能率を上げることができる排便装置を得ることを目的とする。
【課題を解決するための手段】
【０００７】前記目的達成のために、本発明にかかる排便装置は、折り畳みと展開が可能なバッグよりなる排便装置で、バッグは一つの開口部を有し、開口部には、開口部を閉じることが可能な緊縮部材と、流体圧力を加えることによりバッグを展開しかつ開口部を開口可能な加圧開口部を有し、開口部と垂直な方向には、流体圧力を加えることによりバッグを展開可能な加圧展開部と、部材の剛性によりバッグを支持可能な支持部材を有することを特徴とする。【０００８】この構成により、折り畳みと展開が可能なバッグを、折り畳んだ状態で、部材の剛性によりバッグを支持可能な支持部材により支持して支持部材とともに肛門より腸内に挿入し、流体圧力を加えることによりバッグを展開しかつ開口部を開口可能な加圧開口部、および流体圧力を加えることによりバッグを展開可能な加圧展開部に流体圧力を加えて、バッグを腸内で展開するとともに開口部を開き、開口部よりバッグに便が流入後に、緊縮部材により開口部を緊縮してバッグ内に便を保持し、バッグと支持部材を、ともに体外に取り出すことが可能となる。加圧開口部および加圧展開部に流体圧を加えることにより、バックの開口部を開口させるだけでなく、バック全体を展開することが可能となる。バック全体が展開することにより、バックの外壁が腸壁と密接状態で展開することとなり、便を円滑にバック内に導入することができる。さらにバックの展開の駆動力として流体圧を使用することにより、バックの展開の度合いを送入される流体の量で調整することが可能となり、弾性力等の機械的な力を利用する場合に比べて、バックの展開の程度をより調整しやすくなる。【０００９】また、本発明にかかる排便装置は、バッグが二重壁により構成され、加圧開口部または加圧支持部が二重壁を接合して構成された閉空間であることを特徴とする。【０００１０】この構成により、加圧開口部または加圧支持部をバッグに容易に、また新たな部材を使用することなく形成することが可能となる。【００１１】また、本発明にかかる排便装置は、加圧開口部と加圧支持部が連続した閉空間であることを特徴とする。【００１２】この構成により、バックの展開のために加圧開口部と加圧支持部に同時に流体圧を作用させることが可能となる。【００１３】また、本発明にかかる排便装置は、加圧開口部と加圧支持部には接続する管があり、その管が体外まで導出されており、管を通して二重壁間に流体を送出することでバッグを展開することを特徴とする。【００１４】この構成により、バックを腸内に挿入後、外部から展開度合いを調節しながら、バックを展開することが容易となる。【００１５】また、本発明にかかる排便装置は、緊縮部材が、開口部に保持される紐状部材であり、その紐状部材が支持部材の内部または外部に保持されて体外まで導出されており、体外より紐状部材に張力を与えることで開口部を緊縮することを特徴とする。
この構成により、バックの展開に流体圧を利用する一方で、緊縮には紐状部材を利用することにより、バックの滑らかな展開と確実な緊縮とが可能となる。【００１６】この構成により、バックの展開に流体圧を利用する一方で、緊縮には紐状部材を利用することにより、バックの滑らかな展開と確実な緊縮とが可能となる。【００１７】また、本発明にかかる排便装置は、バッグに潤滑剤を送出する管が付設されており、バッグを展開後に、前記管よりバッグと腸壁との間に体外より潤滑剤を送出することを特徴とする。【００１８】この構成により、バッグと腸壁との間に潤滑剤を導くことが可能となる。本願では、バック全体が展開し、腸壁と接触しているのであるが、その間に潤滑剤を導入することにより、バックを体外に取り出すことがより容易となる。【００１９】また、本発明にかかる排便装置は、潤滑剤が、ポリアクリル酸ソーダであることを特徴とする。【００２０】この構成により、安全を確保しつつ、バックと腸壁間を潤滑する目的を達成することができる。【００２１】また、本発明にかかる排便装置は、支持部材が弾性を有する中空な管よりなり、支持部材が前記潤滑材を送出する管を兼ねることを特徴とする。【００２２】この構成により、装置全体が柔軟なものとなり、安全を確保しつつ容易に体内へ挿入することが可能となる。さらに支持部材が前記潤滑材を送出する管を兼用することにより、体内へ挿入する部材を少なくすることが可能となる。【００２３】また、本発明にかかる排便装置は、バッグが伸縮性を有する素材であることを特徴とする。【００２４】この構成により、装置全体が柔軟なものとなり、折り畳みと展開が容易となり、安全を確保しつつ体内へ挿入することが可能となる。【００２５】また、本発明にかかる排便装置は、少なくともバッグと支持部材が使い捨てであることを特徴とする。【００２６】この構成により、腸内の便を使い捨てバッグに取り込むことができるため、この便を使い捨てバッグごと廃棄処理することができる。このため、排便介護をより少ない労力で、衛生的に実施することが可能となる。
【発明の効果】
【００２７】本発明は、折り畳んだバッグを支持部材により指示して腸内に挿入し、バッグの加圧開口部と加圧展開部に流体の圧力を作用させてバッグを展開するとともに、開口部を開口し、便をバッグ内に取り込んだ後、緊縮部材で開口部を緊縮し、弁を取り込んだバッグを対外に取り出すものである。バッグの展開に流体の圧力を利用したことにより、腸への挿入、バッグの展開、バッグへの便の取り込み、便の切断および肛門外への取り出しを、簡単かつ安価な構成で衛生的に実施できるとともに、排便介護の作業能率を改善できる排便装置を提供できる。
【発明を実施するための最良の形態】
【００２８】以下に、本発明の一実施形態を、図面を参照しながら説明する。
図１は、本発明の実施形態による排便装置を示す正面図であり、図２は、図１のＡ−Ａ断面図、図３は図１のＢ−Ｂ断面図、図４は図１のＣ−Ｃ断面図、図５はバッグを展開した時の斜視図、図５はバッグを展開した時の上面図である。【００２９】図１において１はバッグで、幅が約１０センチ、長さが約１５〜２０センチである。素材としては、ポリウレタンゴムであるモビロン（登録商標）が使用できる。厚みは、０．０７ミリ程度が望ましい。バッグは、上端部、右端部を除いては、外壁１Ａ、内壁１Ｂよりなる二重壁で構成される。図２〜図４に示すように、２枚の内壁１Ｂの間の空間８が、便を収容する空間となる。５Ａ、５Ｂ、５Ｃは、バッグを構成する壁面が、水密に接着された接着部である。５Ａは、バッグの外壁、内壁の４層が接着され、５Ｂは外壁、内壁の２層が接着されている。したがって接着部５Ｂで囲まれた空間は、外壁、内壁よりなる閉じた空間となる。バッグの上端部に近い５Ｂで囲まれた空間が、加圧開口部であり、バッグの左端に近い５Ｂで囲まれた空間が、加圧展開部である。加圧展開部は、バッグの上端部では加圧開口部に接続している。一方、バッグの下端部では図５に示すようにバッグの下辺の中間部が終端となっている。このようにすることで、バッグの下端部の実質的な大きさを小さくする効果があり、バッグを取り出しやすくすることができる。もちろん加圧展開部は、図１の例に限らず、終端部をバッグ下辺の左端としても良い。また、加圧展開部は、１つに限らず複数設けても良い。【００３０】バッグの右端部には、５Ａと５Ｃに区画された空間６が構成され、その中に支持部材２が収容される。支持部材は、外形５ミリ、厚さ１ミリ程度の軟質の樹脂による管であり、ビニール管などが使用可能である。外形と厚さは、バッグを腸に挿入する際に必要となる剛性を満たすように、適宜決められる。また、その長さは、バッグが腸内に挿入されたとき、体外に末端が出るように決められる。図指されないが、支持部材はバッグに接している一部で、バッグに接着されており、支持部材を動かすことで、折り畳まれたバッグも動かすことができる。【００３１】バッグの上端部には、５Ｂと５Ｂに区画された空間７が構成され、その中に紐状部材３が収容される。紐状部材としては、一般的な繊維の紐が使用される。紐状部材は、図１に示すように、支持部材の下端から支持部材に入り、支持部材上端部で空間６に入り、６を１周したのち、空間６から出て再度支持部材にはいる。支持部材の下端からは、紐状部材の先端と末端が出ており、これらを同時に引っ張ることで、開口部を緊縮できる。【００３２】バッグの下端部には、流体送出管４が接続される。流体送出管は、図１に示すように、二重壁を貫通して加圧展開部に入り、開口している。その末端は、支持部材と同様に、体外まで導かれている。流体送出管は、外形２ミリ程度の軟質の樹脂による管であり、ビニール管などが使用可能である。流体の送出は、通常手動による水、空気のポンプが使用可能である。その際、流体送出管に開閉弁があると、流体による加圧操作が容易である。【００３３】以上の構成からなる排便装置は以下のように操作される。バッグは強度を保ちつつ極めて柔軟なものであるから、容易に支持部材の周囲に折り畳むことが可能である。折り畳んだ状態で、全体が平滑な形状となるように、支持部材に多少巻きつけるように折り畳んでもよい。一方、支持部材は、全体としては柔軟ではあるものの、バッグを支持して体内に挿入することが可能な程度の剛性を備えている。そのため、バッグを支持して、容易に肛門から腸内に挿入することが可能となる。必要なら、挿入時に、バッグ周囲に潤滑剤を使用してもよい。【００３４】バッグを腸内に挿入後、流体送出管より水、空気またはその他の流体を体外のポンプより加圧開口部、加圧展開部に送り込む。流体の圧力が高まるとともに、それぞれの内、外壁面には張力が作用し、断面がほぼ円形となる。そして加圧開口部は上面から見たときに、円形近く開口する。同時に加圧展開部はバッグを開口部と略垂直方向に展開させる。その結果バッグは全体的に展開し、図５に示すように中央部にバッグ内壁に囲まれた便の収容空間８を構成する。バッグの外壁面は、腸壁に密接するように展開するので、便は容易に収容空間に収容される。なお、このとき加圧部以外のバッグの二重壁間には何らの加圧力も作用しないので柔軟なままであり、加圧部の変形に応じて自然に展開するのである。【００３５】便が収容されたあと、体外から紐状部材を引っ張ると、バッグ開口部が緊縮される。同時に便は切断され、確実にバッグ内に収容される。このとき、支持部材より潤滑材を送出し、バッグ外壁と腸壁との間を潤滑するとよい。また、加圧開口部、加圧展開部の流体圧を下げると、引き出すのに都合がよい。【００３６】バッグ開口部を緊縮したあと、開口部を閉じたまま、支持部材をゆっくり腸内および肛門内から外に引き出す。排便装置は、使い捨てであるので、取り出したものを廃棄することで、すべての排便介護の作業が完了する。
【産業上の利用可能性】
【００３７】本発明の排便装置は、腸内への挿入、便の切断および取り取り出しを、簡単かつ安価な構成で衛生的に実施できるとともに、排便の介護能率を上げることができるという効果を有し、福祉医療や家庭介護医療において、寝たきりの老人や、便所で座位が取れない障害者、便をおむつで処理する被介護者等の排便処理の作業負担を軽減する排便装置等に有用である。
【図面の簡単な説明】
【００３８】
【図１】本発明の実施形態による排便装置を示す正面図である。
【図２】図１におけるＡ−Ａ断面図である。
【図３】図１におけるＢ−Ｂ断面図である。
【図４】図１におけるＢ−Ｂ断面図である。
【図５】バッグを展開した時の斜視図である。
【図６】バッグを展開した時の上面図である。
【符号の説明】
【００３９】１…バッグ、１Ａ…外壁、１Ｂ…内壁、２…支持部材、３…紐状部材、４…流体送出管、５Ａ…内外壁４層接着部、５Ｂ…内外壁２層接着部、５Ｃ…バッグ１層接着部、６…支持部材収容空間、７…紐状部材収容空間、８…便収容空間、９…開口部、１０…加圧開口部、１１…加圧展開部
【図１】
2009247877.tif 000003
【図２】
2009247877.tif 000004
【図３】
2009247877.tif 000005
【図４】
2009247877.tif 000006
【図５】
2009247877.tif 000007
【図６】
2009247877.tif 000008